(57)【要約】【課題】少なくとも２枚の化粧材１、１を隣接配置し、壁体１０に接着剤２を介して接着する際に、表面部分６、６の美観を損なわず、また、化粧材１、１の仮取り付けに手間取ることもなく、しかも接着剤２の硬化時間に左右されずに作業効率を向上させる化粧材１の施工方法を提供する。【解決手段】住宅の壁体１０の被装飾面に接着により取り付けられて壁体１０を化粧する化粧材の施工方法であって、互いに隣接配置されて壁体１０の被装飾面に取り付けられる少なくとも２枚の化粧材１、１を、これら化粧材１、１の継ぎ目４となる部分に、あらかじめ化粧材１の裏側５、５から継ぎ目部分４を覆うように両面テープ３を貼り付けておき、さらに化粧材裏側５、５に接着剤２を塗布してから壁体１０の被装飾面に貼り付けることを特徴とする化粧材の施工方法。【選択図】図１
2005220529.tif 000002
【特許請求の範囲】
【請求項１】
住宅の壁体の被装飾面に接着により取り付けられて壁体を化粧する化粧材の施工方法であって、
互いに隣接配置されて壁体の被装飾面に取り付けられる少なくとも２枚の化粧材を、これら化粧材の継ぎ目となる部分に、あらかじめ化粧材の裏側から継ぎ目部分を覆うように両面テープを貼り付けておき、さらに化粧材の裏側に接着剤を塗布してから壁体の被装飾面に貼り付けることを特徴とする化粧材の施工方法。
【請求項２】
住宅の壁体の被装飾面に接着により取り付けられて壁体を化粧する化粧材の施工方法であって、
隣り合って配置すべき少なくとも２枚の化粧材の裏から、これら化粧材の継ぎ目部分に沿ってこの継ぎ目を覆うようにして化粧材仮止め用の両面テープを貼り付けておき、さらに化粧材の裏側に接着剤を塗布して、壁体の被装飾面に化粧材を押し付け、両面テープで接着剤が硬化するまで化粧材を仮止めしておくことを特徴とする化粧材の施工方法。
【請求項３】
請求項１もしくは請求項２記載の化粧材の施工方法において、
化粧材は、壁体の開口部を化粧するドア枠材であって、このドア枠材は、左右一対のカバー材からなり、このカバー材は、壁体こぐちを覆う表面板部と、この表面板部の端部に直交して延設されて調整材を覆う周縁カバー部とからなり、カバー材を取り付ける前にカバー材の表面板部を互いに突き合わせて、表面板部の裏側から両面テープを継ぎ目に沿って貼り付けておくことを特徴とする化粧材の施工方法。
【請求項４】
請求項１もしくは請求項２記載の化粧材の施工方法において、
化粧材は、窓枠と室内床面との間の室内壁面に、上下に積んで配置し、この室内壁面を化粧する矩形状の化粧板であって、化粧板を取り付ける前に化粧板を互いに突き合わせて、化粧板の裏側から両面テープを継ぎ目に沿って貼り付けておくことを特徴とする化粧材の施工方法。
【発明の詳細な説明】
【技術分野】
【０００１】
本発明は、住宅の壁体の被装飾面に接着により取り付けられて壁体を化粧する化粧材の施工方法に関する。
【背景技術】
【０００２】
従来、住宅の内装においては、回り縁や幅木などを用いて室内の意匠性を高めるための工夫がなされていた。回り縁は室内天井と室内壁面との端縁を隠すことを目的としたものであり、幅木は室内床面と室内壁面との端縁を隠すことを目的として、従来より広く利用されている。
【０００３】
一方、これら回り縁や幅木に合わせて室内壁面を化粧することが行われ、その一つとして壁面にはクロスを張ったり、室内開口部には化粧枠材（例えばドア枠材）などを取り付けて、一層の意匠性を向上させる様々な工夫がなされている。
【０００４】
ところで、このような化粧材には主に天然の木材が用いられるが、木材は天然木を使用することでコストが高くなってしまうため、昨今では樹脂や木粉などを材料とした成形品等が用いられる場合がある。
この成形品による化粧材を建物内に取り付ける方法としては、専用の取り付け金具を用いた嵌め込み式やネジ止め、釘打ち等の方法が行われているが、簡易な手段としては、接着剤によって直接壁面に貼り付ける方法がある。（特許文献１参照）
また、上記のような成形品は２次加工が比較的容易であり、２次加工を行うことで更に様々な製品に加工できるため、少ない成型金型で、複雑で多様な製品を生産することが出来る。
【０００５】
一方、近年では住宅のリフォーム作業にも成形品による化粧材が用いられることが多くなり、このようなリフォームによる場合にも上記のように専用金具を用いた嵌め込み式やネジ止め、釘打ち、接着剤などによる方法が行われている。
【特許文献１】特許第３１２６１００号公報
【発明の開示】
【発明が解決しようとする課題】
【０００６】
化粧材を、ネジ止めや釘打ちなどで取り付ける方法の場合、ネジや釘の頭が化粧材の表面に露出することで美観を損なうという問題を有する。また、専用の金具を用いた嵌め込み式の取り付け方法の場合では、専用の金具を新たに製造しなければならず、コストの面においても問題があった。
【０００７】
一方、接着剤による取り付け方法では、ネジや釘の頭が露出することもなく、また比較的安価に済むということや、硬化時間が早い接着剤などを使えば、住宅の構築やリフォームなども効率良く、早く済むことなどから要望が高まっていた。
【０００８】
ところが、化粧材と化粧材との端部どうしを突き合わせた状態で、しかも、特に化粧材どうしが面一となるように接着剤のみを用いて建物内の壁面に貼り付ける場合には、これら化粧材の裏側に接着剤を塗布して壁体に貼り付けるために接着剤が継ぎ目からはみ出してしまうという問題があった。
【０００９】
これにより、天然木の木目に近い表面部分の美観を損ない、拭き取っても接着剤が拭き落とせない場合などは製品として用いることができず、新しい化粧材を用意するのに無駄な費用がかかることになる。
【００１０】
また、接着剤が硬化するまでの間は仮止め治具などを用いて化粧材を仮取り付けしておく必要があり、接着剤が硬化するまでの待ち時間や仮止め冶具の取り付け作業などに手間取るなどの問題があった。
【００１１】
そこで本発明は、少なくとも２枚の化粧材を、互いに隣接配置した状態で、住宅の壁体に接着剤を介して接着する化粧材の施工方法において、化粧材の表面部分の美観を損なわず、また、化粧材の仮取り付けに手間取ることなく、さらに、接着剤の硬化時間に左右されずに作業効率を向上させる化粧材の施工方法の提供を目的とした。
【課題を解決するための手段】
【００１２】
請求項１記載の発明は、住宅の壁体１０の被装飾面に接着により取り付けられて壁体を化粧する化粧材の施工方法であって、
互いに隣接配置されて壁体１０の被装飾面に取り付けられる少なくとも２枚の化粧材１、１を、これら化粧材１、１の継ぎ目４となる部分に、あらかじめ化粧材１、１の裏側５から継ぎ目部分４を覆うように両面テープ３を貼り付けておき、さらに化粧材裏側５に接着剤２を塗布してから壁体１０の被装飾面に貼り付けることを前記課題の解決手段とした。
【００１３】
請求項１記載の発明によれば、隣接配置した化粧材１、１の裏側５、５から、あらかじめ継ぎ目部分４を覆うように両面テープ３を貼り付けておき、さらに化粧材１、１の裏側５、５に接着剤２を塗布する。
そして、接着剤２を塗布した化粧材１、１を壁体１０に取り付けた際に、化粧材１、１を突き合わせた継ぎ目４を、あらかじめ両面テープ３で塞いだ状態となるので、継ぎ目部分４から接着剤２が表面６、６にはみ出すことがない。
【００１４】
請求項２記載の発明は、住宅の壁体１０の被装飾面に接着により取り付けられて壁体１０を化粧する化粧材の施工方法であって、
隣り合って配置すべき少なくとも２枚の化粧材１、１の裏５、５から、これら化粧材１、１の継ぎ目部分４に沿ってこの継ぎ目４を覆うようにして化粧材仮止め用の両面テープ３を貼り付けておき、さらに化粧材１、１の裏側５、５に接着剤２を塗布して、壁体１０の被装飾面に化粧材１、１を押し付け、両面テープ３で接着剤２が硬化するまで化粧材１、１を仮止めしておくことを前記課題の解決手段とした。
【００１５】
請求項２記載の発明によれば、隣接配置した化粧材１、１の裏側５、５から、あらかじめ継ぎ目部分４を覆うように両面テープ３を貼り付けておき、さらに化粧材１、１の裏側５、５に接着剤２を塗布した後に、この化粧材１、１を壁体１０の被装飾面に取り付ける。
この時、あらかじめ両面テープ３を継ぎ目４に貼り付けていたので、この両面テープ３が被化粧面に貼り付き、化粧材１、１を仮に固定する。
また、あらかじめ接着剤２を裏側５、５に塗布していたので、両面テープ３で仮取り付けを行うと同時に、あとは接着剤２の硬化を待って、接着剤２による化粧材１、１の取り付けをすることができる。
【００１６】
請求項３記載の発明は、壁体１０の開口部を化粧するドア枠材１ａであって、このドア枠材１ａは、左右一対のカバー材９、９からなり、このカバー材９、９は、壁体こぐち１０ａを覆う表面板部７、７と、この表面板部７、７の端部に直交して延設されて調整材１３を覆う周縁カバー部８、８とからなり、カバー材９、９を取り付ける前にカバー材９、９の表面板部７、７を互いに突き合わせて、表面板部７、７の裏側５、５から両面テープ３を継ぎ目４に沿って貼り付けておくことを前記課題の解決手段とした。
【００１７】
請求項３記載の発明によれば、左右一対のカバー材９、９を裏側５、５から両面テープ３で繋ぎ合わせて接着剤２を塗布し、こぐち１０ａを覆うように押し付けて貼り付ける。
この時、化粧材１、１を突き合わせた継ぎ目４を、あらかじめ両面テープ３で塞いだ状態となるので、継ぎ目部分４から接着剤２が表面６、６にはみ出すことがない。
また、あらかじめ接着剤２を裏側５、５に塗布していたので、両面テープ３で仮取り付けを行うと同時に、あとは接着剤２の硬化を待って、接着剤２による化粧材１、１の取り付けをすることができる。
【００１８】
請求項４記載の発明は、窓枠１６と室内床面１５との間の室内壁面１０ｂに、上下に積んで配置し、この室内壁面１０ｂを化粧する矩形状の化粧板１ｂ、１ｂであって、化粧板１ｂ、１ｂを取り付ける前に化粧板１ｂ、１ｂを互いに突き合わせて、化粧板１ｂ、１ｂの裏側５、５から両面テープ３を継ぎ目４に沿って貼り付けておくことを前記課題の解決手段とした。
【００１９】
請求項４記載の発明によれば、矩形状の化粧板１ｂ、１ｂを上下に積んで、この裏側５、５から両面テープ３で繋ぎ合わせて、さらに接着剤２を塗布し、室内壁面１０ｂに押し付けて貼り付ける。
この時、化粧材１、１を突き合わせた継ぎ目４を、あらかじめ両面テープ３で塞いだ状態となるので、継ぎ目部分４から接着剤２が表面６、６にはみ出すことがない。
また、あらかじめ接着剤２を裏側５、５に塗布していたので、両面テープ３で仮取り付けを行うと同時に、あとは接着剤２の硬化を待って、接着剤２による化粧材１、１の取り付けをすることができる。
【発明の効果】
【００２０】
請求項１記載の発明によれば、化粧材１、１を壁体１０の被装飾面に貼り付ける際に、化粧材１、１の表面部分６、６の美観を損なうことがないので、はみ出した接着剤２を拭き取る手間や、接着剤２がはみ出すことによって新しい化粧材１を用意するのにかかっていた無駄な費用を労することもない。
【００２１】
請求項２記載の発明によれば、仮止め治具などを用いることもなく、化粧材１、１の取り付けを簡単かつ短時間で終了させることができるので、施工上の全般的な作業効率の向上につながる。
【００２２】
請求項３記載の発明によれば、ドア枠材１ａをこぐち１０ａの被装飾面に貼り付ける際に、表面部分６、６の美観を損なうことがないので、はみ出した接着剤２を拭き取る手間や、接着剤２がはみ出すことによって新しいドア枠材１ａを用意するのにかかっていた無駄な費用を労することもない。
また、仮止め治具などを用いることもなく、ドア枠材１ａの取り付けを簡単かつ短時間で終了させることができるので、施工上の全般的な作業効率の向上につなげることができる。
【００２３】
請求項４記載の発明によれば、化粧板１ｂ、１ｂを壁面１０ｂの被装飾面に貼り付ける際に、表面部分６、６の美観を損なうことがないので、はみ出した接着剤２を拭き取る手間や、接着剤２がはみ出すことによって新しい化粧板１ｂ、１ｂを用意するのにかかっていた無駄な費用を労することもない。
また、仮止め治具などを用いることもなく、化粧板１ｂ、１ｂの取り付けを簡単かつ短時間で終了させることができるので、施工上の全般的な作業効率の向上につなげることができる。
【発明を実施するための最良の形態】
【００２４】
以下、この発明の好適な実施の形態について、添付の図１〜図４を参照して説明する。
なお、これらの図に示す化粧材１は、木質様成形品を化粧材１として成型したものであり、天然の木の木目に極めて近い模様を表面６に有し、しかも手触り感等の風合いも天然の木に近いものである。
【００２５】
また、接着に用いる接着剤としては、例えば二液エポキシやゴム系ノリ、ウレタン系接着剤などがある。また、硬化時間が短い接着剤を用いることによって、施工時間の短縮を図ることが可能である。
【００２６】
さらに、継ぎ目を覆うように貼り付ける両面テープとしては建物の建築などに用いられる構造用両面テープなどがある。
【実施例１】
【００２７】
本実施例１は、図１および図２に示すように、こぐち１０ａを化粧するドア枠材１ａを化粧材として用いる。
【００２８】
このドア枠材１ａは、左右一対のカバー材９、９からなり、このカバー材９、９は、壁体こぐち１０ａを覆う表面板部７、７と、この表面板部７、７の端部に直交して延設されて調整材１３を覆う周縁カバー部８、８とからなる。
【００２９】
また、表面板部７、７は、左右一対を突き合わせることによってのみ、こぐち１０ａを覆うことができる。そして、天然の木の木目に極めて近い模様の表面６を有し、手触り感等の風合いも天然の木に近いものである。
【００３０】
さらに、周縁カバー８は、調整材１３を覆うために、表面板部７の端部に直行して延設されている。また、この周縁カバー８には凹溝８ａが設けられて、壁パネル１４の面材を化粧する化粧材の凸部と嵌まり合う形状となっている。
【００３１】
なお、こぐち１０ａとは、角材を四方に組んで形成される長方形の枠材と、その枠材の表裏面に固定される長方形状の面材とを備えて形成される壁パネル１４がドアなどを備えるために開口した場所である。
【００３２】
上記のようなドア枠材１ａを用いて、図１および図２に示すように、こぐち１０ａを施工する。
まず、カバー材９、９をこぐち１０ａに取り付ける前にカバー材９、９の表面板部７、７を互いに突き合わせて、表面板部７、７の裏側５、５から両面テープ３を継ぎ目４に沿って貼り付けておく。
【００３３】
この時、カバー材９の表面板部７の表面６は化粧面となっているので、突き合わせた継ぎ目部分４を、表面６、６からつなぎ合わせることができない。そこで、図１に示すように、裏側５、５から、この継ぎ目部分４を全て覆うように両面テープ３を貼り付ける。これにより、突き合わせただけの状態にあったカバー材９、９をつないでおくことができ、扱いやすくなる。
【００３４】
次に、図１に示すように、裏側５、５に接着剤２を塗布する。この時、あらかじめ継ぎ目４に両面テープ３を貼り付けていたので、この継ぎ目４から接着剤２がはみ出すことはない。
そして、接着剤２を塗布した後、図２に示すように、裏側５、５を調整材１３に向けて押し付けて貼り付ける。次に、この調整材１３とともにドア枠材１ａを、接着剤２を塗布してから、こぐち１０ａに向けて押し付けて貼り付ける。
【００３５】
このドア枠材１ａは両面テープ３によってこぐち１０ａに仮取り付けされ、この間に接着剤２が硬化し、接着剤２の硬化後は、そのままドア枠材１ａはこぐち１０ａに取り付けられる。
【００３６】
本実施例１のような化粧材の施工方法を行うことによって、継ぎ目４から接着剤２がはみ出すことがなく、従来のような、接着剤２を拭き取る手間を省くことができるとともに、天然木に極めて近い模様と風合いを有する表面６、６の美観を損なうことがない。
また、特別な仮止め治具などを使用しなくてもドア枠材１ａの取り付け作業を行え、また、その取り付け作業は、ドア枠材１ａの裏側５をこぐち１０ａに押し付けて両面テープ３でドア枠材１ａを固定するだけでよいため簡単で、施工上の全般的な作業効率の向上につながる。
【実施例２】
【００３７】
本実施例２は、図３および図４に示すように、窓枠１６と室内床面１５との間の室内壁面１０ｂを化粧する化粧板１ｂを化粧材として用いる。
【００３８】
化粧板１ｂは、矩形状で、上下に積み重ねて配置するものである。この化粧板１ｂ、１ｂの表面６、６は、天然の木の木目に極めて近い模様を有し、しかも手触り感等の風合いも天然の木に近いものである。
【００３９】
このような化粧板１ｂ、１ｂを室内壁面１０ｂに取り付ける前に、化粧板１ｂ、１ｂを互いに突き合わせて、化粧板１ｂ、１ｂの裏側５、５から両面テープ３を継ぎ目４に沿って貼り付けておく。この時、突き合わせただけの状態にあった化粧材１ｂ、１ｂをつないでおくことができ、扱いやすくなる。
【００４０】
次に、図３に示すように、裏側５、５に接着剤２を塗布する。この時、あらかじめ継ぎ目４に両面テープ３を貼り付けていたので、この継ぎ目４から接着剤２がはみ出すことはない。
そして、接着剤２を塗布した後、図４に示すように、裏側５、５を壁面１０ｂに向けて押し付けて貼り付ける。
【００４１】
この化粧板１ｂ、１ｂは両面テープ３によって壁面１０ｂに仮取り付けされ、この間に接着剤２が硬化し、接着剤２の硬化後は、そのまま化粧板１ｂ、１ｂは壁面１０ｂに取り付けられる。
【００４２】
本実施例２のような化粧材の施工方法を行うことによって、継ぎ目４から接着剤２がはみ出すことがなく、従来のような、接着剤２を拭き取る手間を省くことができるとともに、天然木に極めて近い模様と風合いを有する表面６、６の美観を損なうことがない。
また、特別な仮止め治具などを使用しなくても化粧板１ｂ、１ｂの取り付け作業を行え、また、その取り付け作業は、化粧板１ｂ、１ｂの裏側５、５を壁面１０ｂに押し付けて両面テープ３で化粧板１ｂ、１ｂを固定するだけでよいため簡単で、施工上の全般的な作業効率の向上につながる。
【００４３】
なお、本発明の化粧材の施工方法は、上記実施例１および実施例２に限られるものではなく、本発明の要旨を逸脱しない範囲で様々な場所に用いることができる。
例えば、回り縁などに用いても良いし、窓枠部分１６などに用いても良く、実施例１および実施例２と同じ効果を得ることができる。
【図面の簡単な説明】
【００４４】
【図１】本発明の実施例１に係るドア枠材１ａを示すもので、両面テープ３の貼り付け位置および接着剤２の塗布位置を示す斜視図である。
【図２】同、ドア枠材１ａの施工方法を示す断面図である。
【図３】本発明の実施例２に係る矩形状の化粧板１ｂを示すもので、両面テープ３の貼り付け位置および接着剤２の塗布位置を示す斜視図である。
【図４】同、矩形状の化粧板１ｂの施工方法を示す斜視図である。
【符号の説明】
【００４５】
１  化粧材
１ａ  ドア枠材
１ｂ  矩形状の化粧板
２  接着剤
３  両面テープ
４  継ぎ目
５  裏側
６  表面（化粧面）
７  表面板部
８  周縁カバー部
８ａ  凹溝
１０  壁体
１０ａ  こぐち
１０ｂ  壁面
【図１】
2005220529.tif 000003
【図２】
2005220529.tif 000004
【図３】
2005220529.tif 000005
【図４】
2005220529.tif 000006